(57)【要約】【課題】エアフィルタ下方の両端部がソリにより前面グリルから浮き上がり、すきまから埃が入ったり、見苦しくなることがあるというを課題を解決するする空気調和機を提供する。【解決手段】埃の侵入を防止し枠２ｃおよび桟２ｄで補強され前面グリル１に取り付けられるエアフィルタ２と、エアフィルタ２の前面に配置されかつ開閉可能に保持された吸入パネル３と、吸入パネル３の裏面にエアフィルタ２の枠２ｃとの寸法規制を行う突起部３ａ備え、突起部３ａにてエアフィルタ２の枠２ｃを押さえるためエアフィルタ２が反っていても矯正され、前面グリル１からエアフィルタ２が浮き上がるのを防止し、すきまからのほこりの侵入の防止や見栄えの向上が可能となる。【選択図】  図１
2004257620.tif 000002
【特許請求の範囲】
【請求項１】
枠部と桟部と捕集網部で構成されるとともに空気調和機の吸込み部で前面グリルに取り付けられるエアフィルタと、前記エアフィルタの前面側に開閉可能に配置された吸入パネルとを有し、前記吸入パネルを閉止したときに前記エアフィルタの枠部または桟部と前記吸入パネルの前記エアフィルタと対向する面側との隙間を所定距離に維持する寸法規制手段を前記吸入パネルまたは前記エアフィルタの少なくとも一方に備えたことを特徴とする空気調和機。
【請求項２】
前記寸法規制手段は、前記吸入パネルの前記エアフィルタと対向する面側に設けられ、前記吸入パネルを閉止したときに前記エアフィルタの枠部または桟部と当接して抑えるように構成された所定長さの突起部であることを特徴とする請求項１記載の空気調和機。
【請求項３】
前記寸法規制手段は、前記エアフィルタの前記吸入パネルと対向する面側の枠部または桟部に設けられ、前記吸入パネルを閉止したときに前記エアフィルタの枠部または桟部と当接して抑えるように構成された所定長さの突起部であることを特徴とする請求項１記載の空気調和機。
【請求項４】
前記吸入パネルの突起部と当接することにより、前記エアフィルタの上下方向への移動を規制する移動規制部を前記エアフィルタの枠部または桟部に設けたことを特徴とする請求項２記載の空気調和機。
【請求項５】
前記エアフィルタの突起部と当接することにより、前記エアフィルタの上下方への移動を係止する移動規制部を前記吸入パネルの前記エアフィルタと対向する面側に設けたことを特徴とする請求項３記載の空気調和機。
【発明の詳細な説明】
【０００１】
【発明の属する技術分野】
本発明は、室内に設置され内部にエアフィルタを有する空気調和機に関するものである。
【０００２】
【従来の技術】
従来の空気調和機のエアフィルタ取り付け部の構成として次のような発明が開示されている（例えば、特許文献１参照）。図３（ａ）（ａ）に示すように空気調和機の室内機において１０１は前面グリル、１０２はエアフィルタ、１０３は吸入パネルである。吸入パネル１０３は前面側上方の回動中心（図示せず）を中心として開閉できるようになっている。
【０００３】
また、エアフィルタは図３（ａ）（ｂ）に示すように、細い繊維で構成されており空気を通過させることでそこに含まれる塵埃を捕集する網部１０２と、この網部１０２を保持するとともにその枠体を構成する枠部１０２ｃと、網部１０２を補強するように構成あれた桟部１０２ｄと、枠部１０２ｃにはエアフィルタを保持して空気調和機の所定の場所に装着するのに用いられるツマミ１０２ａと、位置決め用フランジ１０２ｂが枠部１０２ｃの下端に網部の面方向に延出して２箇所設けられている。
【０００４】
以上のような構成において、エアフィルタ１０２の装着を行うときには、吸入パネル１０３を開けた状態にし、上端を前面グリルのガイド部（図示せず）に沿って挿入し、エアフィルタ１０２の下端に設けられた位置決め用フランジ１０２ｂを前面グリル１０１に設けられた位置決め用穴１０１ａに差し込む。そののち、吸入パネル１０３を閉じれば装着が完了する。
【０００５】
【特許文献１】
特開平６−１３７５８７号公報
【０００６】
【発明が解決しようとする課題】
しかしながら、エアフィルタ１０２は補強している枠や桟の部分も例えばポリプロピレン樹脂等の柔らかくソリの出やすい材料で構成されていることがあるが、上記従来の構成では枠部または桟部が変形してもその形状を矯正する手段がないため、エアフィルタ下方の両サイドが前面グリル１０１から前方に浮き上がってしまい、そのすきまから埃が入ってしまったり、また吸入パネル１０３を開けたときに、エアフィルタ１０２が浮き上がっているのが見えるため見苦しいという問題を有していた。
【０００７】
特にエアフィルタ１０２の幅が広く必要なものは、位置決め用フランジ１０２ｂから両端までの距離が長くなり浮き上がりが大きい。浮き上がり防止のために、位置決め用フランジ１０２ｂの位置を両端に近くなるよう広げるということが考えられるが、広げてしまうとツマミ１０２ａとの距離が遠くなることになり、逆にエアフィルタ１０２の装着時の位置決め用フランジ１０２ｂの挿入がスムーズでないという問題を有していた。
【０００８】
本発明は前記従来の課題を解決するもので、エアフィルタの装着性を悪化させることなくエアフィルタが前面グリルから浮き上がることを防止し、埃の侵入がなく見栄えも良好な空気調和機を提供することを目的とする。
【０００９】
【課題を解決するための手段】
上記課題を解決するために本発明の空気調和機は、エアフィルタの前面に配置されている吸入パネルの裏面とエアフィルタの枠部または桟部との寸法規制を行う種々の形態の寸法規制手段を備える。この寸法規制手段によりエアフィルタが前方に浮き上がるのを防止する。
【００１０】
【発明の実施の形態】
以下に本発明の実施の形態について、図面を参照しながら説明する。
【００１１】
（実施の形態１）
図１（ａ）は、本発明の実施の形態１における空気調和機の要部断面図であり、図１（ｂ）はその中に組み込まれているエアフィルタの斜視図である。図１（ａ）において前面グリル１にエアフィルタ２が取り付けられており、エアフィルタ２の前面には吸入パネル３が開閉可能に保持されている。実線が開けた状態を示しており、２点鎖線は閉じた状態を示している。エアフィルタ２の取り付けは、吸入パネル３を開けた状態にし、エアフィルタ２のツマミ２ａを持って上端を前面グリル１のガイド部（図示はしていない）に挿入し、エアフィルタ２の下端に設けられた位置決め用フランジ２ｂを前面グリル１に設けられた位置決め用穴１ａに差し込むことで行われる。ここまでの構成は先述した従来例の構成と同じである。図１（ｂ）に示すエアフィルタ２の構成についても、細い繊維の網でできたエアフィルタ２の周囲を枠２ｃで補強され、内部も横方向および縦方向に走る桟２ｄにて補強され、枠２ｃには持つためのツマミ２ａが設けられると共に位置決め用フランジ２ｂが下端に２ヶ所設けられており、従来例で説明したものと同じである。従来と異なるのは、図１（ｂ）に示すエアフィルタ２の１ｅ部の相対する位置の吸入パネル３に、図１（ａ）に示す突起部３ａを設けた点である。この突起部３ａは、吸入パネル３を閉じたときにエアフィルタ２の枠２ｃが前面グリル１から浮き上がらない状態で、突起部３ａの先端が枠２ｃにほぼ接する寸法に設定されている。
【００１２】
エアフィルタ２の枠部または桟部が柔らかく構成されていると、ソリが発生しやすいため、従来では位置決め用フランジ１ｂから離れた両端部が前面グリル１から浮き上がってしまうという問題があったが、本構成によれば前面グリル１からエアフィルタ２の両端部が浮き上がろうとしてもエアフィルタ２の枠２ｃが吸入パネル３の突起部３ａに当ってその浮き上がりを停止させられるため、浮き上がりを防止させることができる。
【００１３】
またこの枠２ｃを突起部３ａで押さえつけて継続させると、エアフィルタ２自体のソリひずみを除去してしまう効果もあり、吸入パネル３を開けたときにもエアフィルタ２の両端が浮き上がることがなく従来のような見苦しさも防止できる。実際に１日放置するだけでもかなりの効果がでてくることを確認している。さらに、位置決め用フランジ２ｂの位置はツマミ２ａの近くにあるほうが装着作業がやりやすいが、両端から位置決め用フランジ２ｂの位置が遠くなり、従来ではエアフィルタ２の両端での浮き上がりが大きくなるため採用できなかったが、本構成では位置決め用フランジ２ｂの位置をツマミ２ａの近くに配置し、装着作業を容易にすることも可能である。
【００１４】
なお、本実施の形態において、吸入パネル３の突起部３ａをエアフィルタ２の枠２ｃに相対する位置に配置したが、桟３ｄが両端に近い位置にあれば、枠３ｄに相対する位置に配置しても良い。また、エアフィルタ２の前面のパネルを吸入パネルとして説明したが、このパネルは吸入部がない単なる化粧パネルであっても良いことは言うまでもない。
【００１５】
（実施の形態２）
図２（ａ）は、本発明の実施の形態２における空気調和機の要部断面図であり、図２（ｂ）はその中に組み込まれているエアフィルタの斜視図である。図２（ａ）および図２（ｂ）において図１（ａ）および図１（ｂ）と同じ構成要素については同じ符号を用い、説明を省略する。
【００１６】
図２（ａ）および図２（ｂ）において、エアフィルタ２の枠２ｃの両サイドには突起部２ｆが設けられている。図２（ａ）に示すように突起部２ｆは、吸入パネル３を閉じたときに、エアフィルタ２の枠２ｃが前面グリル１から浮き上がらない状態で、突起部２ｆの先端が吸入パネル３の裏面にほぼ接する寸法に設定されている。
【００１７】
かかる構成によれば前面グリル１からエアフィルタ２の両端部が浮き上がろうとしてもエアフィルタ２の枠２ｃに設けた突起部２ｆが吸入パネル３の裏面に当ってその浮き上がりを停止させられるため、浮き上がりを防止させることができる。またこの枠２ｃを突起部２ｆを介して吸入パネル３で押さえつけられた状態にて継続させると、エアフィルタ２自体のソリひずみを除去してしまう効果もあり、吸入パネル３を開けたときにもエアフィルタ２の両端が浮き上がることがなく従来のような見苦しさも防止できる。さらに、位置決め用フランジ２ｂの位置をツマミ２ａの近くに配置し、装着作業を容易にすることも可能である。
【００１８】
なお、本実施の形態において、突起部２ｆをエアフィルタ２の枠２ｃに配置したが、桟３ｄが両端に近い位置にあれば、枠３ｄに配置しても良い。また、エアフィルタ２の前面のパネルを吸入パネルとして説明したが、このパネルは吸入部がない単なる化粧パネルであっても良いことは言うまでもない。
【００１９】
（実施の形態３）
図３（ａ）は、本発明の実施の形態３における空気調和機の要部断面図であり、図３（ｂ）はその中に組み込まれているエアフィルタの斜視図である。図３（ａ）および図３（ｂ）において図１（ａ）および図１（ｂ）と同じ構成要素については同じ符号を用い、説明を省略する。
【００２０】
図３（ａ）および図３（ｂ）に示すように本構成は実施の形態１の構成に、さらに、エアフィルタ２の枠２ｃに上方移動係止用突起部２ｇを設けたものである。この上方移動係止用突起部２ｇは図３（ａ）に示すように、吸入パネル３を閉じたときに、吸入パネル３に設けた突起部３ａの下方とほぼ接する状態に配置されている。すなわち、エアフィルタ２が上方に動こうとしても、この上方移動係止用突起部２ｇが吸入パネル３の突起部３ａに当って動かないようになっている。
【００２１】
従来においては、装置を運搬輸送する際に、振動や衝撃にてエアフィルタ２の位置決め用フランジ２ｂが前面グリル１の位置決め用穴１ａから抜け出てしまうため、エアフィルタ２の下方をテープ等にて仮止めしておかねばならなかったが、本構成によれば、運搬輸送時においてもエアフィルタ２の位置決め用フランジ２ｂが抜け出ることはなくテープ等による仮止めを廃止できるという効果が実施の形態１の効果に加えて可能となる。
【００２２】
（実施の形態４）
図４は、本発明の実施の形態４における空気調和機の要部断面図である。図４において図２（ａ）および図２（ｂ）と同じ構成要素については同じ符号を用い、説明を省略する。
【００２３】
図４に示すように本構成は実施の形態２の構成に、さらに、吸入パネル３の裏面にエアフィルタ上方移動係止用突起部３ｂを設けたものである。このエアフィルタ上方移動係止用突起部３ｂは吸入パネル３を閉じたときに、エアフィルタ２の枠２ｃに設けた突起部２ｆの上方とほぼ接する状態に配置されている。すなわち、エアフィルタ２が上方に動こうとしても、このエアフィルタ上方移動係止用突起部３ｂがエアフィルタ２の突起部２ｆに当って動かないようになっている。本構成によれば、運搬輸送時の振動や衝撃が加わっても、エアフィルタ２の位置決め用フランジ２ｂが前面グリル１の位置決め用穴１ａから抜け出ることはなくテープ等による仮止めを廃止できるという効果が実施の形態２の効果に加えて可能となる。
【００２４】
【発明の効果】
以上のように本発明の空気調和機によれば、エアフィルタの装着性を悪化させることなくエアフィルタが前面グリルから浮き上がることを防止し、埃の侵入がなく見栄えも良好にすることができる。
【図面の簡単な説明】
【図１】（ａ）本発明の実施の形態１における空気調和機の要部断面図
（ｂ）本発明の実施の形態１におけるエアフィルタの斜視図
【図２】（ａ）本発明の実施の形態２における空気調和機の要部断面図
（ｂ）本発明の実施の形態２におけるエアフィルタの斜視図
【図３】（ａ）本発明の実施の形態３における空気調和機の要部断面図
（ｂ）本発明の実施の形態３におけるエアフィルタの斜視図
【図４】本発明の実施の形態４における空気調和機の要部断面図
【図５】（ａ）従来の空気調和機の要部断面図
（ｂ）従来の空気調和機のエアフィルタの斜視図
【符号の説明】
１    前面グリル
１ａ  位置決め用穴
２    エアフィルタ
２ａ  ツマミ
２ｂ  位置決め用フランジ
２ｃ  枠部
２ｄ  桟部
２ｆ  突起部
２ｇ  上方移動係止用突起部
３    吸入パネル
３ａ  突起部
３ｂ  エアフィルタ上下移動抑制突起部
【図１】
2004257620.tif 000003
【図２】
2004257620.tif 000004
【図３】
2004257620.tif 000005
【図４】
2004257620.tif 000006
【図５】
2004257620.tif 000007